(57)【要約】【課題】ＯＮＵからＯＬＴにデータを送信する際に生じる遅延時間を低減する。【解決手段】ＰＯＮシステムは、ＯＬＴと複数のＯＮＵとを光スプリッタにより分岐した光ファイバを用いて互いに接続した通信システムである。ＯＮＵは、自らに設定された論理リンク識別子とは別の論理リンク識別子宛てのＧａｔｅフレームをスヌープすることによりＰＯＮ区間の帯域使用状況を監視し、ＰＯＮ区間の空き帯域を判定するＰＯＮ帯域情報処理部３６と、ＰＯＮ帯域情報処理部３６により判定された空き帯域に、送信したいデータ量を通知するためのＲｅｐｏｒｔフレームをＯＬＴに送信する送信タイミング制御部３３とを備える。【選択図】図３
2013187807.tif 000002
【特許請求の範囲】
【請求項１】
局側装置と複数の加入者側装置とを光スプリッタにより分岐した光ファイバを用いて互いに接続したＰＯＮシステムであって、
前記加入者側装置は、
自らに設定された論理リンク識別子とは別の論理リンク識別子宛てのＧａｔｅフレームをスヌープすることによりＰＯＮ区間の帯域使用状況を監視し、ＰＯＮ区間の空き帯域を判定するＰＯＮ帯域情報処理部と、
前記ＰＯＮ帯域情報処理部により判定された空き帯域に、送信したいデータ量を通知するためのＲｅｐｏｒｔフレームを前記局側装置に送信する送信タイミング制御部と、
を備えることを特徴とするＰＯＮシステム。
【請求項２】
前記送信タイミング制御部は、前記Ｒｅｐｏｒｔフレームを送信してから所定時間内に前記局側装置から帯域割り当てがない場合、再度前記局側装置に対してＲｅｐｏｒｔフレームを送信することを特徴とする請求項１に記載のＰＯＮシステム。
【請求項３】
前記加入者側装置は、送信したいデータが遅延時間を少なくすべきデータであるか否かを判定するデータ解析判定部をさらに備え、
前記送信タイミング制御部は、前記データ解析判定部の判定結果に基づいて、前記ＰＯＮ帯域情報処理部により判定された空き帯域にＲｅｐｏｒｔフレームを送信するか、前記局側装置から定期的に自らの論理リンク識別子宛てに通知されるＧａｔｅフレームを待ってからＲｅｐｏｒｔフレームを通知するかを決定することを特徴とする請求項１または２に記載のＰＯＮシステム。
【請求項４】
前記送信タイミング制御部は、前記局側装置から定期的に自らの論理リンク識別子宛てに通知されるＧａｔｅフレームの受信タイミングを予測し、このＧａｔｅフレームの受信タイミングの予測に基づいて、前記ＰＯＮ帯域情報処理部により判定された空き帯域にＲｅｐｏｒｔフレームを送信するか、前記局側装置から定期的に自らの論理リンク識別子宛てに通知されるＧａｔｅフレームを待ってからＲｅｐｏｒｔフレームを通知するかを決定することを特徴とする請求項１から３のいずれかに記載のＰＯＮシステム。
【請求項５】
局側装置と光ファイバを用いて互いに接続されるＰＯＮシステムの加入者側装置であって、
自らに設定された論理リンク識別子とは別の論理リンク識別子宛てのＧａｔｅフレームをスヌープすることによりＰＯＮ区間の帯域使用状況を監視し、ＰＯＮ区間の空き帯域を判定するＰＯＮ帯域情報処理部と、
前記ＰＯＮ帯域情報処理部により判定された空き帯域に、送信したいデータ量を通知するためのＲｅｐｏｒｔフレームを前記局側装置に送信する送信タイミング制御部と、
を備えることを特徴とする加入者側装置。
【請求項６】
前記送信タイミング制御部は、前記Ｒｅｐｏｒｔフレームを送信してから所定時間内に前記局側装置から帯域割り当てがない場合、再度前記局側装置に対してＲｅｐｏｒｔフレームを送信することを特徴とする請求項５に記載の加入者側装置。
【請求項７】
送信したいデータが遅延時間を少なくすべきデータであるか否かを判定するデータ解析判定部をさらに備え、
前記送信タイミング制御部は、前記データ解析判定部の判定結果に基づいて、前記ＰＯＮ帯域情報処理部により判定された空き帯域にＲｅｐｏｒｔフレームを送信するか、前記局側装置から定期的に自らの論理リンク識別子宛てに通知されるＧａｔｅフレームを待ってからＲｅｐｏｒｔフレームを通知するかを決定することを特徴とする請求項５または６に記載の加入者側装置。
【請求項８】
前記送信タイミング制御部は、前記局側装置から定期的に自らの論理リンク識別子宛てに通知されるＧａｔｅフレームの受信タイミングを予測し、このＧａｔｅフレームの受信タイミングの予測に基づいて、前記ＰＯＮ帯域情報処理部により判定された空き帯域にＲｅｐｏｒｔフレームを送信するか、前記局側装置から定期的に自らの論理リンク識別子宛てに通知されるＧａｔｅフレームを待ってからＲｅｐｏｒｔフレームを通知するかを決定することを特徴とする請求項５から７のいずれかに記載の加入者側装置。
【発明の詳細な説明】
【技術分野】
【０００１】
本発明は、局側装置と複数の加入者側装置との間で通信を行うＰＯＮ（Passive Optical Network）システムに関する。
【背景技術】
【０００２】
従来より、一般家庭等の加入者宅を対象とした加入者系光ファイバネットワークシステムとして、ＰＯＮシステムが知られている。このＰＯＮシステムは、通信事業者局舎に設置される局側装置（ＯＬＴ（Optical Line Terminal））に接続された１本の光ファイバを光スプリッタにより分岐し、複数の加入者側装置（ＯＮＵ（Optical Network Unit））と接続したものである。ＰＯＮシステムは、ＯＬＴとＯＮＵを１対１で接続するシングルスター型のシステムに比べ、複数のＯＮＵで１本の光ファイバを共用するため低コストな光通信ネットワークを構築できる。
【０００３】
一般的に、ＰＯＮシステムではＯＬＴからＯＮＵ方向の通信を「下り」と呼び、ＯＮＵからＯＬＴ方向の通信を「上り」と呼ぶ。下り方向の通信は、ＯＬＴが連続した光信号を送信するだけであるが、上り方向の通信は、ＯＮＵ同士の光信号がぶつからないようにＴＤＭＡ（Time Division Multiple Access）方式で送信する。ＯＮＵがデータを送信するタイミングを調整し時分割多重する機能を、動的帯域割当機能（ＤＢＡ（Dynamic Bandwidth Allocation））と言う。
【先行技術文献】
【特許文献】
【０００４】
【特許文献１】特開２００４−２８９４６９号公報
【発明の概要】
【発明が解決しようとする課題】
【０００５】
ＯＮＵは、ＤＢＡによって光信号の送信タイミングを調整されるため、上り方向のデータはＯＮＵが任意のタイミングで送信することはできず、必ずＯＮＵ内部でバッファリングされ、ＯＬＴから帯域割り当てが通知されてからデータを送信することになる。このバッファリングされている時間は、データ送信の遅延時間が増える原因となる。例えばＷｅｂサイト閲覧等では問題とならない遅延時間でも、株式投資・ＶｏＩＰ（Voice over Internet Protocol）等のサービスでは、ｍｓ単位の遅延が大きく影響するため、より小さな遅延時間が求められる場合がある。
【０００６】
本発明はこうした状況に鑑みてなされたものであり、その目的は、ＰＯＮシステムにおいて、ＯＮＵからＯＬＴにデータを送信する際に生じる遅延時間を低減することのできる技術を提供することにある。
【課題を解決するための手段】
【０００７】
上記課題を解決するために、本発明のある態様のＰＯＮシステムは、局側装置と複数の加入者側装置とを光スプリッタにより分岐した光ファイバを用いて互いに接続したＰＯＮシステムである。加入者側装置は、自らに設定された論理リンク識別子とは別の論理リンク識別子宛てのＧａｔｅフレームをスヌープすることによりＰＯＮ区間の帯域使用状況を監視し、ＰＯＮ区間の空き帯域を判定するＰＯＮ帯域情報処理部と、ＰＯＮ帯域情報処理部により判定された空き帯域に、送信したいデータ量を通知するためのＲｅｐｏｒｔフレームを局側装置に送信する送信タイミング制御部とを備える。
【０００８】
送信タイミング制御部は、Ｒｅｐｏｒｔフレームを送信してから所定時間内に局側装置から帯域割り当てがない場合、再度局側装置に対してＲｅｐｏｒｔフレームを送信してもよい。
【０００９】
加入者側装置は、送信したいデータが遅延時間を少なくすべきデータであるか否かを判定するデータ解析判定部をさらに備えてもよい。送信タイミング制御部は、データ解析判定部の判定結果に基づいて、ＰＯＮ帯域情報処理部により判定された空き帯域にＲｅｐｏｒｔフレームを送信するか、局側装置から定期的に自らの論理リンク識別子宛てに通知されるＧａｔｅフレームを待ってからＲｅｐｏｒｔフレームを通知するかを決定してもよい。
【００１０】
送信タイミング制御部は、局側装置から定期的に自らの論理リンク識別子宛てに通知されるＧａｔｅフレームの受信タイミングを予測し、このＧａｔｅフレームの受信タイミングの予測に基づいて、ＰＯＮ帯域情報処理部により判定された空き帯域にＲｅｐｏｒｔフレームを送信するか、局側装置から定期的に自らの論理リンク識別子宛てに通知されるＧａｔｅフレームを待ってからＲｅｐｏｒｔフレームを通知するかを決定してもよい。
【００１１】
本発明の別の態様は、局側装置と光ファイバを用いて互いに接続されるＰＯＮシステムの加入者側装置である。この装置は、自らに設定された論理リンク識別子とは別の論理リンク識別子宛てのＧａｔｅフレームをスヌープすることによりＰＯＮ区間の帯域使用状況を監視し、ＰＯＮ区間の空き帯域を判定するＰＯＮ帯域情報処理部と、ＰＯＮ帯域情報処理部により判定された空き帯域に、送信したいデータ量を通知するためのＲｅｐｏｒｔフレームを局側装置に送信する送信タイミング制御部とを備える。
【００１２】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１３】
本発明によれば、ＰＯＮシステムにおいて、ＯＮＵからＯＬＴにデータを送信する際に生じる遅延時間を低減することができる。
【図面の簡単な説明】
【００１４】
【図１】本発明の実施形態に係るＰＯＮシステムを示す図である。
【図２】論理リンクが確立されたＯＬＴおよびＯＮＵ間の動的帯域割当を説明するための図である。
【図３】本発明の実施形態に係るＯＮＵの構成を説明するための図である。
【図４】図４（ａ）および（ｂ）は、本発明の実施形態に係るＰＯＮシステムにおけるユーザデータの送信シーケンスを説明するための図である。
【図５】複数のＯＮＵが同時にＲｅｐｏｒｔフレームを送信した場合のシーケンスを説明するための図である。
【発明を実施するための形態】
【００１５】
図１は、本発明の実施形態に係るＰＯＮシステム１０を示す図である。図１に示すように、ＰＯＮシステム１０は、局側装置（ＯＬＴ）１２に接続された１本の基幹光ファイバ１８が光スプリッタ１４により複数の分岐光ファイバ２０−１〜２０−ｎに分岐され、分岐光ファイバ２０−１〜２０−ｎの端部に複数の加入者側装置（ＯＮＵ）１６−１〜１６−ｎが接続された構成となっている。なお、以下においては、ＯＮＵ１６−１〜１６−ｎを総称して適宜「ＯＮＵ１６」と呼ぶ。
【００１６】
ＰＯＮシステム１０においては、ＯＬＴ１２から各ＯＮＵ１６への下り信号は、時分割多重（ＴＤＭ：Time Division Multiplexing）により多重化された連続的な光信号である。一方、各ＯＮＵ１６からＯＬＴ１２への上り信号は、ＴＤＭＡ（Time Division Multiple Access）方式により多重化される。ＴＤＭＡでは、各ＯＮＵ１６からの光信号が衝突するのを防ぐため、各光信号間にガードタイムと呼ばれる無信号区間が挿入される。そのため、ＯＬＴ１２から各ＯＮＵ１６への下り信号が連続的な光信号となるのと異なり、ＯＮＵ１６からＯＬＴ１２への上り信号は、信号の送出が間欠的に行われるバースト状の光信号となる。
【００１７】
ＯＬＴ１２と各ＯＮＵ１６との間で通信を行うためには、ＯＬＴ１２と各ＯＮＵ１６との間で論理リンク（Logical Link）が確立される必要がある。ＯＬＴ１２は、新たにＰＯＮシステム１０に接続されたＯＮＵ１６を登録するために、ディスカバリ・ハンドシェークと呼ばれる処理を定期的に行っている。ディスカバリ・ハンドシェークにおいては、まずＯＬＴ１２は、「Ｇａｔｅフレーム」をブロードキャスト送信し、未登録のＯＮＵ１６に対して送信タイミングを通知する。Ｇａｔｅフレームを受信した未登録のＯＮＵ１６は、登録要求フレームとして「Ｒｅｇｉｓｔｅｒ＿ＲＥＱフレーム」をＯＬＴ１２に送信する。ＯＬＴ１２は、登録要求を受け付けるための期間であるディスカバリ期間内にＲｅｇｉｓｔｅｒ＿ＲＥＱフレームを受信した場合、該Ｒｅｇｉｓｔｅｒ＿ＲＥＱフレームを送信したＯＮＵ１６に「Ｒｅｇｉｓｔｅｒフレーム」を送信し、論理リンク識別子（ＬＬＩＤ（Logical Link Identifier））を通知する。また、ＯＬＴ１２は、ＧａｔｅフレームをＯＮＵ１６に送信し、送信帯域および送信タイミングを通知する。これに対し、ＯＮＵ１６が「Ｒｅｇｉｓｔｅｒ＿ＡＣＫフレーム」を送信し、登録の受信応答をすることで、ディスカバリ・ハンドシェークが完了し、ＯＬＴ１２とＯＮＵ１６の間で論理リンクが確立される。
【００１８】
１つのＯＮＵ１６に対し、複数の論理リンクを確立することも可能である。例えば、アプリケーション毎に論理リンクを設定する場合を考えると、ＶｏＩＰ，ＶｏＤ（Video on Demand）及びインターネットという３つのアプリケーションに対して、独立に論理リンクを確立することができる。
【００１９】
図２は、論理リンクが確立されたＯＬＴおよびＯＮＵ間の動的帯域割当（ＤＢＡ）を説明するための図である。ＰＯＮシステムにおいては、ＤＢＡにより各ＯＮＵの送信タイミングおよび信号帯域が制御される。
【００２０】
ここでは、ＯＬＴと第１ＯＮＵとの間に第１論理リンクが確立され、ＯＬＴと第２ＯＮＵとの間に第２論理リンクが確立されているものとする。図２に示すように、ＯＬＴと各ＯＮＵとの間では、定期的にＧａｔｅフレームとＲｅｐｏｒｔフレームの交換が行われている。すなわち、ＯＬＴは、各ＯＮＵに対して定期的にＧａｔｅフレームを送信し、上り信号の送信タイミングと送信可能帯域を通知する。図２に示す例では、ＯＬＴは、第１ＯＮＵに対して周期Ｔ１でＧａｔｅフレームを送信し、第２ＯＮＵに対して周期Ｔ２でＧａｔｅフレームを送信している。Ｇａｔｅフレームを受け取った各ＯＮＵは、ＯＬＴに対してＲｅｐｏｒｔフレームを送信し、ＯＮＵに蓄積されているデータ量を通知して帯域要求を行う。ＯＬＴは、各ＯＮＵからの帯域要求を収集し、ＤＢＡアルゴリズムに従い、各ＯＮＵに割り当てる帯域値を決定し、その帯域値を示すＧａｔｅフレームをＯＮＵに送信する。そしてＯＮＵは、Ｇａｔｅフレームに割当てられた帯域を使って上り信号をＯＬＴに送信する。各ＯＮＵが送信するデータを保持していない場合でも、ＯＬＴと各ＯＮＵは、論理リンクの維持を目的として、ＧａｔｅフレームとＲｅｐｏｒｔフレームの交換を定期的に行っている。このようなＧａｔｅフレームとＲｅｐｏｒｔフレームの交換は、論理リンク単位（ＬＬＩＤ単位）で行われる。
【００２１】
一般的にＰＯＮシステムにおいては、ＯＬＴからＯＮＵへの下り信号は、同一の信号がＯＬＴ配下の全ＯＮＵに到達する。よって、各ＯＮＵは、受信したフレームが自分宛てのフレームであるか否かをＬＬＩＤを用いて識別している。ＯＮＵは、受信フレームのＬＬＩＤと自らのＬＬＩＤとを照合し、ＬＬＩＤが一致していれば自分宛てのフレームであると判断してフレームを取り込み、ＬＬＩＤが一致していなければ自分宛てのフレームではないと判断してフレームを廃棄する。
【００２２】
本実施形態に係るＰＯＮシステム１０において、ＯＮＵは、上記のような同一の下り信号がＯＬＴ配下の全ＯＮＵに到達するというＰＯＮシステムの特徴を利用して、自らに設定されたＬＬＩＤとは別のＬＬＩＤ宛てのＧａｔｅフレームをスヌープ（監視）し、ＰＯＮ区間の帯域使用状況を監視する。つまり、自分宛てのＬＬＩＤではないＧａｔｅフレームの内容を解析・蓄積することで、他のＯＮＵがいつ上り方向にデータを送信しようとしているか知ることができる。ＯＮＵは、このようにＰＯＮ区間の帯域使用状況を監視することで、ＰＯＮ区間においてどのタイミングで帯域が空いているか知ることができる。ＯＬＴから定期的に通知されるＧａｔｅフレームを待たずに、ＯＮＵが自律的にＰＯＮ区間の空き帯域を判断してＲｅｐｏｒｔフレームを送信することで、より速くＯＬＴから帯域を割り当てられ、データ送信の遅延時間を低減することができる。
【００２３】
図３は、本発明の実施形態に係るＯＮＵ１６の構成を説明するための図である。図３に示すように、ＯＮＵ１６は、光処理部３０と、フレームバッファ３１と、送信データ解析判定部３２と、送信タイミング制御部３３と、制御フレーム処理部３４と、受信データ解析判定部３５と、ＰＯＮ帯域情報処理部３６と、下位ネットワーク側信号処理部３７とを備える。なお、本明細書のブロック図において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２４】
下位ネットワーク側信号処理部３７は、ＯＮＵ１６に接続された下位ネットワークと通信を行う。ＬＡＮケーブル３８介して下位ネットワークから入力された送信データは、送信データ解析判定部３２を介してフレームバッファ３１に蓄積される。フレームバッファ３１は、送信タイミング制御部３３からの指示により送信データを光処理部３０に出力する。光処理部３０は、フレームバッファ３１から入力された送信データを光信号に変換し、分岐光ファイバ２０に出力する。
【００２５】
また、光処理部３０は、ＯＬＴから分岐光ファイバ２０を介して受信した下り光信号を電気信号に変換し、受信データ解析判定部３５に出力する。受信データ解析判定部３５は、受信した下り方向のデータを制御フレームとユーザフレームとに分離する。受信データ解析判定部３５は、制御フレームを制御フレーム処理部３４およびＰＯＮ帯域情報処理部３６に送り、ユーザフレームを下位ネットワーク側信号処理部３７に送る。ユーザフレームは下位ネットワーク側信号処理部３７にて所定の終端処理を施された後、ＬＡＮケーブル３８を介して下位ネットワークに出力される。
【００２６】
制御フレーム処理部３４は、ＯＬＴからの制御フレーム、すなわちＧａｔｅフレームの内容を解析し、Ｇａｔｅフレームに含まれる送信タイミングおよび送信可能帯域の情報を送信タイミング制御部３３に通知する。
【００２７】
ＰＯＮ帯域情報処理部３６は、自らに設定されたＬＬＩＤとは別のＬＬＩＤ宛てのＧａｔｅフレームをスヌープすることによりＰＯＮ区間の帯域使用状況を監視し、ＰＯＮ区間の空き帯域を判定する。空き帯域は、ＰＯＮ区間において他の論理リンクにより使用を予約されていない帯域である。ＰＯＮ帯域情報処理部３６は、判定したＰＯＮ区間の空き帯域情報を送信タイミング制御部３３に通知する。すなわち、ＰＯＮ帯域情報処理部３６は、ＯＬＴにＲｅｐｏｒｔフレームを送信してよいタイミングを送信タイミング制御部３３に通知する。
【００２８】
送信タイミング制御部３３は、ＰＯＮ帯域情報処理部３６から通知された空き帯域を利用して、送信したいデータ量を通知するためのＲｅｐｏｒｔフレームを送信する。このＲｅｐｏｒｔフレームは、光処理部３０により上り光信号に変換され、ＯＬＴに送られる。
【００２９】
図４（ａ）および（ｂ）は、本発明の実施形態に係るＰＯＮシステム１０におけるユーザデータの送信シーケンスを説明するための図である。図４（ａ）は、比較例として、ＯＬＴから定期的に通知されるＧａｔｅフレームの受信を待ってＲｅｐｏｒｔフレームを送信する通常のシーケンスを示す。図４（ａ）に示すように、通常のシーケンスでは、ユーザデータを下位ネットワークから受信した際に、すぐにＯＬＴにＲｅｐｏｒｔフレームを送信することはできず、ＯＬＴから定期的に通知されるＧａｔｅフレームの受信を待たなければならない。従って、Ｇａｔｅフレームの受信タイミングによってはユーザデータ送信までに大きな遅延時間が生じる可能性がある。
【００３０】
一方、本実施形態に係るＰＯＮシステム１０においては、受信したユーザデータがフレームバッファ３１に蓄積されると、送信タイミング制御部３３は、ＯＬＴからのＧａｔｅフレームを待たずに、ＰＯＮ帯域情報処理部３６から通知された空き帯域にＲｅｐｏｒｔフレームを送信し、ＯＬＴに送信したいデータ量を通知する。そして、ＯＬＴから帯域を割り当てるＧａｔｅフレームが通知されると、制御フレーム処理部３４は割り当てられた帯域を送信タイミング制御部３３に通知し、送信タイミング制御部３３は、割り当てられた帯域を利用してフレームバッファ３１に蓄積された送信データを光処理部３０を介してＯＬＴに送信する。
【００３１】
このように、本実施形態に係るＰＯＮシステム１０によれば、ユーザデータを受信した際に、自らのＬＬＩＤとは別のＬＬＩＤ宛てのＧａｔｅフレームを監視することにより検出した空き帯域を用いてＲｅｐｏｒｔフレームをＯＬＴに送信することにより、通常のシーケンスよりも速くＯＬＴから帯域を割り当てられ、データ送信の際に生じる遅延時間を低減することができる。
【００３２】
図５は、複数のＯＮＵが同時にＲｅｐｏｒｔフレームを送信した場合のシーケンスを説明するための図である。本実施形態に係るＰＯＮシステム１０においては、上述したように、ＯＬＴからのＧａｔｅフレームを待たずに、ＯＮＵが自立的に空き帯域を判定し、Ｒｅｐｏｒｔフレームを送信する。従って、複数のＯＮＵ（または複数の論理リンク）が同時にＲｅｐｏｒｔフレームを送信する可能性がある。このように複数のＯＮＵからのＲｅｐｏｒｔフレームが衝突すると、ＯＬＴの受信器では正常フレームとして認識できないことがある。そこで、送信タイミング制御部３３は、空き帯域にＲｅｐｏｒｔフレームを送信してから所定の第１時間内にＯＬＴから帯域を割り当てるＧａｔｅフレームが通知されない場合、ＯＬＴがＲｅｐｏｒｔフレームを受信できていないものと判断し、再度ＯＬＴに対して空き帯域にＲｅｐｏｒｔフレームを送信する。このような動作を行うことにより、本実施の形態に係るＯＮＵ１６が複数台同一のＯＬＴ配下に存在した場合でも、本実施形態に係るＯＮＵ１６は有効に機能することができる。
【００３３】
なお、本実施形態に係るＯＮＵ１６は、使用されていない空き帯域を用いてＲｅｐｏｒｔフレームを送信するものであるので、従来型のＯＮＵと同一の配下に存在しても、特に従来型のＯＮＵに影響を与えることはない。
【００３４】
送信タイミング制御部３３は、送信するデータの種類に応じて、ＰＯＮ区間の空き帯域にＲｅｐｏｒｔフレームを送信するか、またはＯＬＴから定期的に通知されるＧａｔｅフレームを待ってＲｅｐｏｒｔフレームを送信するか決定してもよい。本実施形態において、送信データ解析判定部３２は、下位ネットワークから受信した送信データが、遅延時間を少なくすべきデータであるのか、または遅延時間が大きくても許容されるデータであるのか判定する。例えば送信データがＶｏＩＰのデータの場合、送信データ解析判定部３２は遅延時間を少なくすべきデータであると判定する。
【００３５】
送信タイミング制御部３３は、送信データ解析判定部３２の判定結果に基づいて、ＰＯＮ区間の空き帯域にＲｅｐｏｒｔフレームを送信するか、ＯＬＴから定期的に通知されるＧａｔｅフレームを待ってからＲｅｐｏｒｔフレームを通知するかを決定する。すなわち、送信データ解析判定部３２から遅延時間少なくすべきデータであるという情報を受けた場合、送信タイミング制御部３３は、ＰＯＮ区間の空き帯域にＲｅｐｏｒｔフレームを送信する。一方、送信データ解析判定部３２から遅延時間が大きくても許容されるデータであるという情報を受けた場合、送信タイミング制御部３３は、ＯＬＴが定期的に通知されるＧａｔｅフレームを受信してからＲｅｐｏｒｔフレームを送信する。このように、送信データの種類に応じてＲｅｐｏｒｔフレームの送信方法を変えることで、他の論理リンクから送信されるＲｅｐｏｒｔフレームとの衝突確率を下げることができ、ＰＯＮシステム全体として帯域を有効に利用することができる。
【００３６】
図２で説明したように、ＯＮＵが送信するデータを保持していない場合でも、ＯＬＴとＯＮＵは、ＧａｔｅフレームとＲｅｐｏｒｔフレームの交換を定期的に行っている。そこで、送信タイミング制御部３３は、Ｇａｔｅフレームの過去の受信周期から、将来のＧａｔｅフレームの受信タイミングを予測し、この受信タイミングの予測に基づいて、ＰＯＮ区間の空き帯域にＲｅｐｏｒｔフレームを送信するか、ＯＬＴから定期的に通知されるＧａｔｅフレームを待ってからＲｅｐｏｒｔフレームを通知するかを決定してもよい。Ｇａｔｅフレームを待ってからＲｅｐｏｒｔフレームを送信する場合、遅延時間が大きくなる可能性があるが、必ずＰＯＮ帯域が確保されているというメリットがある。一方、ＰＯＮ区間の空き帯域でＲｅｐｏｒｔフレームを送信フレームを送信する場合、他の論理リンクからのＲｅｐｏｒｔフレームと衝突して再送信が必要となる可能性があるが、遅延時間を小さくできる可能性があるというメリットがある。送信タイミング制御部３３は、これらの点を考慮し、どちらの方法でＲｅｐｏｒｔフレームを送信するのが最善か判断する。
【００３７】
例えば、所定の第２時間内にＧａｔｅフレームの受信が予測される場合、送信タイミング制御部３３は、ＰＯＮ帯域情報処理部３６により判定された空き帯域にＲｅｐｏｒｔフレームを送信せず、ＯＬＴからのＧａｔｅフレームを待ってＲｅｐｏｒｔフレームを送信する。すなわち、すぐにＧａｔｅフレームが通知されることが分かっている場合には、確実にＲｅｐｏｒｔフレームを送信すべく、ＯＬＴからのＧａｔｅフレームを待ってＲｅｐｏｒｔフレームを送信する。一方、所定の第２時間内にはＧａｔｅフレームを受信しないことが予測される場合、遅延時間を低減すべく、ＰＯＮ区間の空き帯域にＲｅｐｏｒｔフレームを送信する。このように、Ｇａｔｅフレームの受信予測に基づいてＲｅｐｏｒｔフレームの送信方法を変えることで、他の論理リンクから送信されるＲｅｐｏｒｔフレームとの衝突確率を下げることができ、ＰＯＮシステム全体として帯域を有効に利用することができる。
【００３８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００３９】
１０  ＰＯＮシステム、  １２  ＯＬＴ、  １４  光スプリッタ、  １６  ＯＮＵ、  １８  基幹光ファイバ、  ２０  分岐光ファイバ、  ３０  光処理部、  ３１  フレームバッファ、  ３２  送信データ解析判定部、  ３３  送信タイミング制御部、  ３４  制御フレーム処理部、  ３５  受信データ解析判定部、  ３６  ＰＯＮ帯域情報処理部、  ３７  下位ネットワーク側信号処理部、  ３８  ＬＡＮケーブル。
【図１】
2013187807.tif 000003
【図２】
2013187807.tif 000004
【図３】
2013187807.tif 000005
【図４】
2013187807.tif 000006
【図５】
2013187807.tif 000007